(57)【要約】【課題】サーバ室の冷却効率を向上させつつ、サーバ装置や空調機の増設にフレキシブルに対応することができるサーバ室用空調システムおよびデータセンターを提供すること。【解決手段】本発明は、サーバ装置をサーバラックに収容して設置するサーバ室のためのサーバ室用空調システムであって、サーバ室と、サーバ室の上層に設けられた空調機械室と、を備え、サーバ室には、多数のサーバラックが配列されたサーバラック群が複数の列状に並べられて設置され、複数のサーバラック群の間には、冷気が供給される吸気経路と、サーバラック群から排気される暖気の排気経路とが交互に配置され、空調機械室は、サーバ室に冷気を供給する複数の空調屋内機が設置され、複数の空調屋内機は、吸気経路の上方に配置され、サーバラック群に上方から冷気を供給することを特徴とする、サーバ室用空調システムである。【選択図】図１
2020021386.tif 000002
【特許請求の範囲】
【請求項１】
サーバ装置をサーバラックに収容して設置するサーバ室のためのサーバ室用空調システムであって、
前記サーバ室と、
前記サーバ室の上層に設けられた空調機械室と、を備え、
前記サーバ室には、多数の前記サーバラックが配列されたサーバラック群が複数の列状に並べられて設置され、複数の前記サーバラック群の間には、冷気が供給される吸気経路と、前記サーバラック群から排気される暖気の排気経路とが交互に配置され、
前記空調機械室は、前記サーバ室に冷気を供給する複数の空調屋内機が設置され、前記複数の空調屋内機は、前記吸気経路の上方に配置され、前記サーバラック群に上方から冷気を供給することを特徴とする、
サーバ室用空調システム。
【請求項２】
前記複数の空調屋内機は、前記吸気経路に冷気を直接的に供給するように前記吸気経路の上部に配置されていることを特徴とする、
請求項１に記載のサーバ室用空調システム。
【請求項３】
前記空調機械室には、停電時に前記サーバ装置に電源を供給するための複数のＵＰＳおよび前記サーバ装置に配電するための複数のＰＤＵが設置され、
前記複数のＵＰＳおよび前記複数のＰＤＵは、前記排気経路の上部に配置され、前記サーバラック群から排気された暖気および前記複数のＵＰＳおよび前記複数のＰＤＵから排気された暖気は、前記空調屋内機に取り込まれることを特徴とする、
請求項１または２に記載のサーバ室用空調システム。
【請求項４】
前記空調屋内機に対応する空調屋外機は、前記空調機械室の屋上に設置されることを特徴とする、
請求項１から３のうちいずれか１項に記載のサーバ室用空調システム。
【請求項５】
前記空調屋内機に対応する空調屋外機は、前記空調屋内機が設置される前記空調機械室の外壁の屋外側に設置されることを特徴とする、
請求項１から４のうちいずれか１項に記載のサーバ室用空調システム。
【請求項６】
請求項１から５のうちいずれか１項に記載の前記サーバ室と前記空調機械室とを備えるサーバ室用空調システムを一つのモジュールとして、複数の前記モジュールが設置されることを特徴とする、
データセンター。
【請求項７】
請求項６に記載の前記モジュールは、隣接及び／または重層されて複数の前記モジュールが構築されることを特徴とする、
データセンター。
【発明の詳細な説明】
【技術分野】
【０００１】
本発明は、サーバ装置を収容するデータセンターにおける空調管理を行うサーバ室用空調システムおよびデータセンターに関する。
【背景技術】
【０００２】
データを管理するための複数のサーバ装置が設置されるデータセンターのサーバ室では、稼働中のサーバ装置を冷却するために常時、空調システムにより室内の温度が管理されている。データセンターでは、サーバ装置の効率的な冷却を目的とした、コールドアイル・ホットアイル空調方式が一般的に採用されている。コールドアイル（以下ＣＡともいう）とは、冷気が供給されるように設けられた冷気の通り道であり、ホットアイル（以下ＨＡともいう）とは、サーバ装置を冷却した後に排気される暖気の通り道である。コールドアイル・ホットアイル空調方式は、ＣＡとＨＡとが明確に分離されるようにサーバラック列を計画的に配置して、サーバラックに収容されたサーバ装置を効率的に冷却するものである。
【０００３】
近年のデータセンターの動向として、サーバ機器の能力向上に伴いサーバ室に収納するサーバラック（サーバ）１台あたりの電気容量が年々増加傾向にある。そのため、データセンターにおいてサーバを冷却する空調設備の設置計画が重要となる。サーバ装置の電気容量が増加するのに伴って、サーバ装置から発生する熱量も増大する。
【０００４】
そうすると、データセンターに設置される空調機の台数を増加させるために空調機械室の面積が増大し、サーバ設置のためのサーバ室面積が減少するという問題が生じる。更に、データセンターでは、停電対策のためのＵＰＳ（無停電電源設備）の他に、サーバ電源専用の分電盤（ＰＤＵ）などの多数の独自設備も設置する必要があるため、空調機増設対応を考慮して十分な床面積を確保した空調機械室を用意する配置計画が困難となりつつある。
【０００５】
さらに、空調機械室の配置計画においては、サーバ室のサーバ装置群を稼働したままで空調機の増設や移設を行いたいという要求がある。空調機の増設や移設においては、屋内に設置された屋内機と屋外に設置された屋外機との間の冷媒の配管ルート、電気配線ルート、空調機の搬出入ルートなどがなるべくサーバ室内のサーバ稼働に影響を与えないようにフレキシブルに計画をすることが求められる。
【先行技術文献】
【特許文献】
【０００６】
【特許文献１】特開２０１２−７８０５６号公報
【発明の概要】
【発明が解決しようとする課題】
【０００７】
データセンターのサーバ装置を冷却するシステムとして例えば、特許文献１に記載されたものが知られている。このサーバ室用空調システムは、サーバ室の下階にＵＰＳ室を設置し、ＵＰＳ室に隣接して空調機械室を設置している。このような設備の配置構造によれば、空調機械室から吐出された冷気はＵＰＳ室を通過した後に上階のサーバ室の床に設けられた吹き出し口からサーバ室に供給される。特許文献１に記載されたサーバ室用空調システムのような配置構造では、サーバ負荷の増加に対応して空調機を増強する場合に空調機の設置スペースに制約を受ける可能性がある。
【０００８】
本発明は、上述した課題に鑑みてなされたものであり、サーバ室の冷却効率を向上させつつ、サーバ装置や空調機の増設にフレキシブルに対応することができるサーバ室用空調システムおよびデータセンターを提供することを目的とする。
【課題を解決するための手段】
【０００９】
上記の目的を達するために、本発明は、サーバ装置をサーバラックに収容して設置するサーバ室のためのサーバ室用空調システムであって、前記サーバ室と、前記サーバ室の上層に設けられた空調機械室と、を備え、前記サーバ室には、多数の前記サーバラックが配列されたサーバラック群が複数の列状に並べられて設置され、複数の前記サーバラック群の間には、冷気が供給される吸気経路と、前記サーバラック群から排気される暖気の排気経路とが交互に配置され、前記空調機械室は、前記サーバ室に冷気を供給する複数の空調屋内機が設置され、前記複数の空調屋内機は、前記吸気経路の上方に配置され、前記サーバラック群に上方から冷気を供給することを特徴とする、サーバ室用空調システムである。
【００１０】
本発明によれば、空調機械室がサーバ室の上方に配置されていることにより、冷気及び暖気の循環経路を単純化することができる。
【００１１】
また、本発明に係るサーバ室用空調システムは、前記複数の空調屋内機が前記吸気経路に冷気を直接的に供給するように前記吸気経路の上部に配置されるよう構成されていてもよい。
【００１２】
本発明によれば、サーバ装置の上方に配置された空調屋内機から送出された冷気は、下方のサーバ装置に直接的に当たるように降下するため、サーバ室の冷却効率を向上させることができる。
【００１３】
また、本発明に係るサーバ室用空調システムは、前記空調機械室には、停電時に前記サーバ装置に電源を供給するための複数のＵＰＳおよび前記サーバ装置に配電するための複数のＰＤＵが設置され、前記複数のＵＰＳおよび前記複数のＰＤＵは、前記排気経路の上部に配置され、前記サーバラック群から排気された暖気および前記複数のＵＰＳおよび前記複数のＰＤＵから排気された暖気は、前記空調屋内機に取り込まれるよう構成されていてもよい。
【００１４】
本発明によれば、サーバ装置の上方にＵＰＳおよびＰＤＵが配置されていることにより、サーバ装置とＵＰＳおよびＰＤＵとを接続する配線類の配線が簡略化されるとともに、暖気の循環経路の距離を短縮することができる。
【００１５】
また、本発明に係るサーバ室用空調システムは、前記空調屋内機に対応する空調屋外機が記空調機械室の屋上に設置されるよう構成されていてもよい。
【００１６】
本発明によれば、空調屋内機の上方に空調屋外機が設置されることにより、空調屋内機と空調屋外機を接続する配管類の配管を簡略化することができる。
【００１７】
また、本発明に係るサーバ室用空調システムは、前記空調屋内機に対応する空調屋外機が前記空調屋内機を設置する前記空調機械室の外壁の屋外側に設置されるよう構成されていてもよい。
【００１８】
本発明によれば、空調機械室内の空調屋内機に対応する空調屋外機が空調機械室の外壁に設置されることで、データセンターにおいてサーバ室と空調機械室とを備えるモジュールを重層して増設することを容易にすることができる。
【００１９】
また、本発明に係るデータセンターは、前記サーバ室と前記空調機械室とを備えるサーバ室用空調システムを一つのモジュールとして、複数の前記モジュールが設置されるよう構成されていてもよい。
【００２０】
本発明によれば、モジュールを増設することにより、サーバ装置の負荷に応じたデータセンターの設計や増設を容易に行うことができる。
【００２１】
また、本発明に係るデータセンターは、前記モジュールは、隣接及び／または重層されて複数の前記モジュールが構築されるよう構成されていてもよい。
【００２２】
本発明によれば、データセンターが設置される土地の状態に応じた設計や増設を容易に行うことができる。
【発明の効果】
【００２３】
本発明に係るサーバ室用空調システムおよびデータセンターによれば、サーバ室の冷却効率を向上させつつ、サーバ装置や空調機の増設にフレキシブルに対応することができる。
【図面の簡単な説明】
【００２４】
【図１】本発明の実施形態に係るデータセンターのサーバ室用空調システムの構成の配置関係を示す正面図である。
【図２】サーバ室用空調システムの構成の配置関係を階ごとに対応付けて示す平面図である。
【図３】サーバ室用空調システムのモジュールを水平面方向に増設する状態を示す平面図である。
【図４】サーバ室用空調システムのモジュールを鉛直方向に増設した状態の構成の配置関係を示す平面図である。
【図５】サーバ室用空調システムのモジュールを鉛直方向に増設した状態の構成の他の配置関係を示す平面図である。
【発明を実施するための形態】
【００２５】
以下、図面を参照しつつ、本発明のサーバ室用の空調システムの実施形態について説明する。
【００２６】
図１および図２に示されるように、サーバ室用空調システム１は、データセンターに設置されるサーバ室１０に空調機械室２０から冷気を供給し、サーバ室１０内に設置された多数のサーバ装置Ｓを冷却するものである。サーバ室１０は、例えば、一辺が１１ｍの正方形の床面積を１単位として構成される。
【００２７】
サーバ室１０においてサーバ装置Ｓを収容するための多数のサーバラック１１が設置される。サーバラック１１は、１台の高容量のサーバ装置Ｓが収容されるタイプと、棚状に組まれた枠体に複数のサーバ装置Ｓが階層的に設置されるタイプとがある。いずれのサーバラック１１のタイプを設置するかは、ユーザの要望により任意に設定される。サーバラック１１には、床面から天井に向かって１台または所定台数のサーバ装置Ｓを収容することができる。
【００２８】
サーバラック１１を複数台組合せて設置することで、今回システムの１つの単位となるモジュールを構成する。サーバラック１１は、互いに隣接して設置され、直線状に連なったサーバラック群１２が構成される。サーバラック群１２には、例えば、最大で１４台のサーバラック１１が配置される。サーバ室１０には、複数のサーバラック群１２が列状に並べられて設置される。図２の例では、サーバ室１０には、５列のサーバラック群１２が設置される。従ってサーバ室１０には、例えば、最大で１４台×５列＝７０台のサーバラックが設置される。この７０台のサーバラック１１を含むサーバ室計画をモジュールとする。
【００２９】
ところで、サーバ装置Ｓは、例えば、内部の冷却ファンを稼働させて、正面側から空気を取り込んで発熱状態となった回路基板に空気を導風して冷却し、背面側から暖気された空気を排気するよう構成されている。このため、多数のサーバ装置Ｓが向きをそろえずにサーバラック１１に設置された場合、排気される暖気が入り乱れて冷却効率が低下するばかりか、メンテナンス性も低下し、配線関係も複雑化する。
【００３０】
このため、サーバラック群１２において、多数のサーバ装置Ｓは、正面側がサーバラック群１２の列方向と略直交する一定の方向を向くように配列される。隣接するサーバラック群１２同士は、多数のサーバ装置Ｓの正面側あるいは背面側が対向するように平行に配置される。このように複数のサーバラック群１２を列状に配置すると、サーバ装置Ｓの正面側が対向している廊下状の第１空間と、サーバ装置Ｓの背面が対向している廊下状の第２空間とが形成される。第１空間と第２空間とは、複数のサーバラック群１２の間に交互に配置される。
【００３１】
例えば、第１空間にサーバ装置Ｓを冷却するための冷気を供給すると、多数のサーバ装置Ｓに冷気が取り込まれるので、第１空間は冷気の導風路が形成される。このように第１空間は、冷気の吸気経路となることからコールドアイル１３と呼ぶ。コールドアイル１３は、作業者が保守作業可能な幅が確保されている。コールドアイル１３には、後述のように天井側から冷気が供給される。
【００３２】
コールドアイル１３には、上方から供給される冷気が自然落下するような流路Ｃが生成される。冷気はコールドアイル１３の床面から溜って行き、対向するサーバラック群１２の頂面まで充填される。このようにしてコールドアイル１３には、冷気の空気溜りが生成される。これにより、床面側に配置されたサーバ装置Ｓから天井側に配置されたサーバ装置Ｓにも冷気が供給される。
【００３３】
コールドアイル１３において、対向するサーバラック群１２への入口となる両端の開口には、サーバ装置Ｓに対するセキュリティ対策のために施錠可能な扉がそれぞれ設けられる場合がある。このような扉が設けられる場合、コールドアイル１３は、対向するサーバラック群１２と、両端の扉によって四方を囲まれた空間となり、冷気をより溜めやすくなる。
【００３４】
これに対して、第２空間は、多数のサーバ装置Ｓから排気される暖気が集まる暖気溜りとなるため、第２空間内から空気を排出することで暖気の導風路が形成される。このように第２空間は、暖気の排気経路となることからホットアイル１４と呼ぶ。ホットアイル１４において、後述のように天井側から暖気が排気される。ホットアイル１４は、作業者が保守作業可能な幅が確保されている。多数のサーバ装置Ｓからホットアイル１４に排気された暖気は天井側に自然に上昇する流路Ｈを生成する。
【００３５】
サーバラック群１２の高さが天井に届いていない場合、サーバラック群１２の頂部と天井との間の隙間に隔壁等が設けられていてもよい。このような隔壁を設けることにより、コールドアイル１３における空調屋内機から供給される冷気と、ホットアイル１４におけるサーバ装置Ｓから排出される暖気とが混合することが確実に防止され、サーバ装置Ｓの冷却効率が向上する。
【００３６】
サーバ室１０の上層階には、空調機械室２０が設けられる。空調機械室２０には、複数の空調屋内機２１が設置される。複数の空調屋内機２１は、本実施形態では３列に分配して配置される。１列の空調屋内機２１は、コールドアイル１３の上方においてコールドアイル１３の長手方向の長さに沿って配置される。各列には、例えば、４台の空調屋内機２１が設置される。１列の複数の空調屋内機２１を空調屋内機群２２と呼ぶ。
【００３７】
３列の空調屋内機群２２の内、図２において左側の列には２台の空調屋内機２１が設置される。従って空調屋内機２１は、空調機械室２０に１０台設置される。この内、１台の空調屋内機２１は予備として設置される。後述のように、空調機械室２０のモジュールが新たに本モジュールの左側に隣接して増設されている場合には、左側の列にも４台の空調屋内機２１が設置され得る。
【００３８】
空調屋内機２１は、例えば、底面側から下方に向かって冷気を供給するように構成されている。空調屋内機２１が載置されている空調機械室２０の床面（サーバ室１０の天井）には、通風孔（不図示）が設けられている。通風孔は、サーバ室１０のコールドアイル１３と連通している。このため、空調屋内機２１は、床面の通風孔を介してコールドアイル１３に冷気を供給することができる。このように、サーバ室用空調システム１において、空調屋内機２１が直接コールドアイル１３に冷気を直接的に供給するように配置することにより、サーバ装置Ｓと空調屋内機２１との間の距離を略最短にすることができ、サーバ室１０の冷却効率を向上させることができる。
【００３９】
隣接する空調屋内機群２２の間の空きスペース２５には、サーバ装置Ｓの電源を安定的に供給するための複数の無停電電源装置（Uninterruptible Power Supply；以下、ＵＰＳ２３という）や複数のサーバ装置Ｓに電源を分配する分電盤（Power Distribution Unit；以下、ＰＤＵ２４という）が配置されている。
【００４０】
ＵＰＳ２３は、例えば、蓄電池を備え、通常時は蓄電池を充電状態に保持し停電時にサーバ装置Ｓに電力を供給する。ＰＤＵ２４は、複数の電源タップを備え、サーバ装置Ｓの電源ケーブルが接続されている。ＵＰＳ２３及びＰＤＵ２４は、例えば、空きスペース２５においてホットアイル１４の上方に配置されている。空調屋内機２１とＵＰＳ２３及びＰＤＵ２４とは、電源ケーブル等の配線類Ｗで接続されている。ＵＰＳ２３及びＰＤＵ２４とサーバラック１１とを接続する配線類Ｗは、サーバの仕様に応じて配電系統数が決定される。
【００４１】
上述したように、空調屋内機２１の上方に対応する空調屋外機３１を配置すると、配管や配線の取り回しが簡略化される。このような配置により、サーバ装置ＳとＵＰＳ２３及びＰＤＵ２４との間の配線類Ｗを略最短の距離にすることができる。
【００４２】
空調機械室２０の空きスペースの床面には、サーバ室１０のホットアイル１４と連通する排気口（不図示）が設けられている。ホットアイル１４から排気口を通じて空調機械室２０に導風された暖気は、ＵＰＳ２３やＰＤＵ２４から放出された暖気と共に空調屋内機２１に取り込まれる。空調屋内機２１に取り込まれた暖気は、空調屋内機２１の内部の熱交換器により熱交換され、冷気となって空調屋内機２１からコールドアイル１３に供給される。
【００４３】
このように、サーバ室用空調システム１は、空調屋内機２１が直接的にコールドアイル１３に冷気を供給して下方に設置されたサーバラック１１を冷却すると共にホットアイル１４から暖気を取り込むような配置関係にすることにより、冷気の流路Ｃおよび暖気の流路Ｈの循環経路の距離を短縮し、データセンターの熱サイクルにおける熱効率を向上させることができる。
【００４４】
空調機械室２０の屋上３０には、例えば、空調屋内機２１に取り込まれた空気の熱交換を行うための複数の空調屋外機３１が設けられている。複数の空調屋外機３１は、３列の空調屋外機群３２に分けられて列状に配置されている。
【００４５】
各列の空調屋外機群３２には、例えば、空調屋内機２１に対応して４台の空調屋外機３１が設置される。この内、図２において左側の列には２台の空調屋外機３１が設置される。従って空調屋外機３１は、屋上３０に１０台設置される。この内、１台の空調屋外機３１は予備として設置される。後述のように、屋上３０のモジュールが左側に隣接して増設されている場合には、左側の列にも４台の空調屋外機３１が設置され得る。
【００４６】
各空調屋外機３１は、対応する各空調屋内機２１の上方に配置されている。空調屋内機２１と空調屋外機３１とは、冷媒を循環させるための配管や電気的な配線（配管類Ｐ）で接続されている。上述したように、空調屋内機２１の上方に対応する空調屋外機３１を配置すると、配管や配線の取り回しが簡略化される。このような配置方式を適用すると、サーバ室用空調システム１における配管や配線に必要な距離は、空調機械室がサーバ室の下階に設置される方式の一般的な空調システムに比して低減される。
【００４７】
また、上述したようなサーバ室用空調システム１の配置構造によれば、データセンターにおけるサーバラック１１の負荷が増加し、より高い冷却性が必要となる場合、サーバ室１０の稼働を止めることなく、空調機械室２０や屋上３０において空調屋内機２１および空調屋外機３１を備える空調機の増強・増設・変更工事を容易に行うことができる。
【００４８】
上記のサーバ室用空調システム１は、サーバ室１０、空調機械室２０及び屋上３０で構成される２階建ての構造体を１つのモジュールとして、モジュールを組み合わせることにより、サーバ室１０を増設するデータセンターを構築ことができる。
【００４９】
図３に示されるように、２階建ての構造体のモジュールをマトリクス状に４つ配置すると、サーバ室１０の床面積を４倍に拡張したデータセンターを設計することができる。このような４モジュールの構造体を更に水平方向に隣接して増設すれば、サーバ室１０の床面積を１モジュールに対して８倍に拡張したデータセンターを設計することができる。上述したように、各モジュールは、配線類Ｗや配管類Ｐが各モジュール内で独立して各装置類に接続されているため、サーバ室用空調システム１を適用したモジュールにより、データセンターの設計計画を容易にすることができる。
【００５０】
図４に示されるように、２階建ての構造体のモジュールは、重層して増設されてもよい。２階建ての構造体のモジュールの上方にさらに２階建ての構造体のモジュールを設けてデータセンターを設計することができる。この場合、下層側のモジュールにおいて２階の屋上３０に相当する位置である３階に、上層側のモジュールのデータ室１０Ａを設け、４階に空調機械室２０Ａを設ける。
【００５１】
そうすると、２階の空調屋内機２１に対応する空調屋外機３１を設置するスペースを別途設ける必要がある。そこで、２階の空調屋内機２１に対応する空調屋外機３１は、４階の屋上４０の空きスペースに設けられる。この場合、２階から屋上まで貫通したパイプ状のシャフトスペースＤが外壁Ｇに設けられる。シャフトスペースの中には、２階の空調屋内機２１と屋上４０に設置された空調屋外機３１とを接続するための配管類Ｐが挿通される。
【００５２】
図５に示されるように、２階の空調屋内機２１に対応する空調屋外機３１は、空調機械室２０の外壁Ｇの屋外側に設置されてもよい。２階においては、例えば、バルコニーが設けられている場合、２階の空調屋内機２１に対応する空調屋外機３１は、バルコニーＢに設置される。２階にバルコニーＢが設けられていない場合、外壁Ｇに支持部材（不図示）を取り付けて、支持部材に空調屋外機３１を載置あるいは吊架してもよい。
【００５３】
このように、空調機械室２０の外壁Ｇの周辺に空調屋外機３１を設置すれば、モジュールを更に重層化してデータセンターを高層化する設計をすることができる。上述した重層化したモジュールは、更に、横方向に隣接させて増設してもよい。
【００５４】
上述したように、実施形態のサーバ室用空調システム１によれば、サーバ室の冷却効率を向上させつつ、サーバ装置や空調機の増設にフレキシブルに対応することができる。また、サーバ室用空調システム１は、水平方向や鉛直方向に自由にサーバ室を増設することが可能なようにモジュール化された設計がなされており、データセンターが設置される土地の形状や面積などの状態に応じた設計や増設を容易に行うことができる。これにより、サーバ室用空調システム１によれば、設備を配置するためのイニシャルコスト、設備改修等の施設運用コストの削減を図ることができる。サーバ室用空調システム１によれば、モジュール化されたデータセンターの設計を用いることで、データセンター計画を容易にすることができる。
【００５５】
以上、本発明に係るサーバ室用空調システムの一実施形態について説明したが、本発明は上記の一実施形態に限定されるものではなく、その趣旨を逸脱しない範囲で適宜変更可能である。例えば、上述した実施形態のサーバラック、空調屋内機、空調屋外機、ＵＰＳ及びＰＤＵ等の個数や配置関係は実施形態に限らず、異なる個数や他の配置関係が採用されてもよい。また、増設される空調屋外機は、設置スペースが少ない場合、既設の空調屋外機に重層して設置されてもよい。また、空調機械室の床面はグレーチングが用いられてもよい。またモジュールの寸法についても上述した実施形態以外の寸法が採用されてもよい。
【符号の説明】
【００５６】
１…サーバ室用空調システム
１０、１０Ａ…サーバ室
１１…サーバラック
１２…サーバラック群
１３…コールドアイル
１４…ホットアイル
２０、２０Ａ…空調機械室
２１…空調屋内機
２２…空調屋内機群
２３…ＵＰＳ
２４…ＰＤＵ
２５…空きスペース
３０、４０…屋上
３１…空調屋外機
３２…空調屋外機群
Ｂ…バルコニー
Ｃ…流路
Ｄ…シャフトスペース
Ｇ…外壁
Ｈ…流路
Ｐ…配管類
Ｓ…サーバ装置
Ｗ…配線類
【図１】
2020021386.tif 000003
【図２】
2020021386.tif 000004
【図３】
2020021386.tif 000005
【図４】
2020021386.tif 000006
【図５】
2020021386.tif 000007